(57)【要約】      （修正有）【課題】センサユニットを腟内に長期貯留させることができ、また、家畜の個体差等に対応することが可能な家畜の分娩監視用センサの腟内固定構造を提供する。【解決手段】家畜の腟内に挿入可能な分娩監視用センサの腟内固定構造は、センサを収容した筒状のセンサ収容部１、及び、筒状のセンサ収容部の貫通を許す貫通孔２１ａと羽根の外周側から内周側に向けて切り欠く切り欠け部２１ｄを有する複数枚の羽根２１を備える。【選択図】図２
0003212455.tif 000002
【実用新案登録請求の範囲】
【請求項１】
家畜の腟内に挿入可能な分娩監視用のセンサの腟内固定構造であって、
前記センサを収容した筒状のセンサ収容部と、
前記筒状のセンサ収容部の貫通を許す貫通孔を有する複数枚の羽根であって、前記羽根の外周側から内周側に向けて切り欠く切り欠け部を有することを特徴とする分娩監視用センサの腟内固定構造。
【請求項２】
前記羽根は、内径側に設けられた円板状の第１の羽根部と、前記第１の羽根部の外径側に設けられた円板状の第２の羽根部とを備える羽根部を有し、
前記第２の羽根部は、前記第１の羽根部の外周に至る少なくとも１の切り欠け部を有することを特徴とする請求項１に記載の分娩監視用センサの腟内固定構造。
【請求項３】
前記羽根は、
前記貫通孔により前記センサ収容部の軸方向に複数挿入されていることを特徴とする請求項１又は２に記載の分娩監視用センサの腟内固定構造。
【請求項４】
複数枚の前記羽根は、
前記羽根の径方向に異なる位置に前記切り欠け部が設けられていることを特徴とする請求項２又は３に記載の分娩監視用センサの腟内固定構造。
【請求項５】
前記羽根は、
前記センサ収容部を回転軸として回転可能であることを特徴とする請求項４に記載の分娩監視用センサの腟内固定構造。
【請求項６】
前記センサ収容部の一端側に嵌められた少なくとも１のリングを有することを特徴とする請求項１から５までのいずれか１項に記載の分娩監視用センサの腟内固定構造。
【請求項７】
前記羽根は、
前記センサ収容部から取り外し可能であることを特徴とする請求項１から６までのいずれか１項に記載の分娩監視用センサの腟内固定構造。
【請求項８】
前記羽根は、シリコーンゴムにより形成されていることを特徴とする請求項１から７までのいずれか１項に記載の分娩監視用センサの腟内固定構造。
【請求項９】
前記羽根には、隣接する前記羽根の回転を規制する回転規制機構が設けられていることを特徴とする請求項１から８までのいずれか１項に記載の分娩監視用センサの腟内固定構造。
【請求項１０】
前記回転規制機構は、隣接する前記羽根にそれぞれ設けられた係合構造を有することを特徴とする請求項９に記載の分娩監視用センサの腟内固定構造。
【考案の詳細な説明】
【技術分野】
【０００１】
本考案は、家畜の分娩監視用センサの膣内固定構造に関する。
【背景技術】
【０００２】
離れた場所にいる畜主に家畜の分娩開始を正確に知らせることができる分娩監視装置がいくつか提案されている。
【０００３】
例えば、特許文献１には、センサユニットに、家畜の腟から脱落することを防止するための羽根と、センサユニットが腟内に挿入されていることを目視または携帯情報端末の画像を通じて確認するためのコードと、温度センサと、照度センサと、センサ送信部と、を備える技術が開示されている。羽根は、家畜の粘液等の排出が妨げられないように、一部に切り込みを有するものである。
【０００４】
このような羽根を設けることで、羽根を構成するシリコーンゴムの弾性により腟壁に接して脱落を防止することができる。また、羽根には、家畜の粘液等の排出が妨げられないように、切り込みが入れられている。
【先行技術文献】
【特許文献】
【０００５】
【特許文献１】特開２００７−１８５４２６号公報
【考案の概要】
【考案が解決しようとする課題】
【０００６】
分娩のおよそ１日前に直腸温が下がるため、朝夕に直腸温の測定を実施することで分娩を予知することができる。
【０００７】
直腸温は分娩前に低下した後また上昇するので、朝夕２回の測定では見逃すおそれがある。膣留置型分娩警報装置では、陣痛が進行した後の警報であるため、事前の準備が間に合わないことが多い。またプローブが排出されてから胎子が娩出されるまでの時間は幅があるという問題がある。
【０００８】
プローブの長期留置が可能になれば、胎子娩出の数日前からの変化が捉えられ早期に分娩が予測できる。
【０００９】
特許文献１に記載の家畜の腟から脱落することを防止するための羽根は、シリコーンゴム製で椀形をしており、その弾性により腟壁に接して脱落を防止する。また羽根は、家畜の粘液等の排出が妨げられないように、一部に切り込みを有する。
【００１０】
しかしながら、１枚の羽根でセンサユニットを腟内に長期貯留させることは難しかった。また、特許文献１に記載の構造では、家畜の個体差等に対応するには不十分であった。
【００１１】
本考案は、センサユニットを腟内に長期貯留させることができる家畜の分娩監視用センサの腟内固定構造を提供することを目的とする。また、家畜の個体差等に対応することが可能な家畜の分娩監視用センサの膣内固定構造を提供することを目的とする。
【課題を解決するための手段】
【００１２】
本考案の一観点によれば、家畜の腟内に挿入可能な分娩監視用のセンサの腟内固定構造であって、前記センサを収容した筒状のセンサ収容部と、前記筒状のセンサ収容部の貫通を許す貫通孔を有する複数枚の羽根であって、前記羽根の外周側から内周側に向けて切り欠く切り欠け部を有することを特徴とする分娩監視用センサの腟内固定構造が提供される。
【００１３】
羽根は、センサ収容部の外側に、筒状のセンサ収容部の長尺方向の軸を法線とする面を有する。
【００１４】
前記センサ収容部は、該センサ収容部が家畜の腟から脱落することを防止するための羽根を備える。
【００１５】
前記羽根は、内径側に設けられた円板状の第１の羽根部と、前記第１の羽根部の外径側に設けられた円板状の第２の羽根部とを備える羽根部を有し、前記第２の羽根部は、前記第１の羽根部の外周に至る少なくとも１の切り欠け部を有することを特徴とする。
切り欠け部を設けることで膣挿入時に、羽根が軸方向に入りやすくなる。
【００１６】
前記羽根は、前記貫通孔により前記センサ収容部の軸方向に複数挿入されていることを特徴とする。
【００１７】
複数枚の羽根により、センサ部が家畜の膣内に入る際の膣挿入時の抵抗、分娩に伴う排出時の抵抗を調整することができる。これにより、例えば、初産牛から経産牛まで使い分けが可能である。
【００１８】
複数枚の前記羽根は、前記羽根の径方向に異なる位置に前記切り欠け部が設けられていることを特徴とする。
前記羽根は、前記センサ収容部を回転軸として回転可能であることを特徴とする。
【００１９】
複数枚の羽根を回転させて、切り欠け部の位置を変更させることができるようにすることで、センサ部が家畜の膣内に入る際の膣挿入時の抵抗、分娩に伴う排出時の抵抗を調整することができる。
【００２０】
前記センサ収容部の一端側に嵌められた少なくとも１のリングを有することを特徴とする。
前記羽根は、前記センサ収容部から取り外し可能であることを特徴とする。
【００２１】
前記羽根部は、シリコーンゴムにより形成されていることを特徴とする。
シリコーンゴムの柔軟性を利用して、膣挿入時の狭い部分を通る際の抵抗をある程度まで弱めることができる。また、家畜の特徴によって大きさや枚数、形状等を調整することができる。
【００２２】
前記羽根には、隣接する前記羽根の回転を規制する回転規制機構が設けられていることを特徴とする。前記回転規制機構は、隣接する前記羽根部にそれぞれ設けられた係合構造を有することが好ましい。
回転を規制することで、予め調整した抵抗値を維持させることができる。
【考案の効果】
【００２３】
本考案によれば、センサユニットを腟内に長期貯留させることができる家畜の分娩監視用センサの腟内固定構造を提供することができる。また、家畜の個体差等に対応することが可能な家畜の分娩監視用センサの腟内固定構造を提供することができる。
【図面の簡単な説明】
【００２４】
【図１Ａ】本考案の実施の形態による家畜の分娩監視用センサの腟内固定構造を利用した家畜の分娩監視システムの一構成例を示す図である。
【図１Ｂ】図１Ｂは、センサユニットの一構成例を示す図である。
【図２】本実施の形態によるセンサ装置Ｂの側面図である。
【図３】例えばホルスタインの分娩予定牛用の分娩監視用センサの腟内固定構造の平面図（図３（ａ））、斜視図（図３（ｂ）、図３（ｃ））である。
【図４】センサ装置を妊娠牛の腟内に取り付けた様子を示す図である。
【図５】展開状態を保持できる構造を有する羽根の構成例を示す図である。図５（ａ）、図５（ｂ）は、隣接する羽根の回転を規制する回転規制機構を設けた例であり、図５（ｃ）は、２枚の羽根を回転規制機構により保持した状態を示す平面図、図５（ｄ）はその断面図である。
【考案を実施するための形態】
【００２５】
本明細書においては、家畜として牛を例にして説明するが、馬、山羊など他の家畜に適用することができ、牛に限定されるものではない。
【００２６】
以下の本考案の実施の形態について図面を参照しながら詳細に説明する。
【００２７】
（第１の実施の形態）
図１Ａは、本実施の形態による家畜の分娩監視用センサの腟内固定構造を利用した家畜の分娩監視システムの一構成例を示す図である。図１Ｂは、センサユニットの一構成例を示す図である。
【００２８】
家畜の分娩監視システムＡは、センサ装置Ｂと、制御部５と、監視センタサーバ１１とを有する。分娩監視用のセンサ装置Ｂは、例えば筒状で一端側が封じられ、他端側が開口されるセンサ収容部１中にセンサが配置される。センサ収容部１内には、例えば、温度センサ、加速度センサ、抵抗値センサなどのセンサが設けられてセンサ部３（図１Ｂ）を形成している。センサ部３の各種センサからのセンシング値は、制御部５に送られる。
【００２９】
制御部５は、センサ部３内のセンサからのセンシング信号を受信するセンサ信号受信部５−１と、センサ値に関する演算を行うセンサ値演算部５−2と、通信部５−３と、電源部５−４とを有する。通信部５−３からは、センシング信号に基づく信号が、監視センタサーバ１１に送られる。監視センタサーバ１１は、通信部１１−１と、制御部１１−２と、通信部１１−３と、報知部１１−４とを有する。通信部１１−３からの信号は、例えば、携帯端末１５に送られる。携帯端末１５は、通信部１５−１と、表示部１５−２とを有する。センシング信号に基づく警報信号などが監視センタサーバ１１や携帯端末１５に送られると、報知部１１−４や表示部１５−２に、分娩に関する警報が出力される。
【００３０】
図２は、本実施の形態によるセンサ装置Ｂの側面図である。センサ装置Ｂには、例えば前述のセンサ収容部１内に設けられたセンサ部３と制御部５（図１Ａ）の他に、センサ収容部１の筒状部に取り付けられる家畜の腟内にセンサ装置Ｂを固定するための固定用の腟内固定構造２１，２３，２５を有している。図３は、例えばホルスタインの分娩予定牛用の分娩監視用センサの腟内固定構造の平面図（図３（ａ））、斜視図（図３（ｂ）、図３（ｃ））である。尚、図３では、固定部２３、２５を省略して記載している。
【００３１】
センサ収容部１は、各種センサを収容し、例えば、円筒状の形状をしており、挿入方向において先端が丸みを帯びて封じられており、排出方向において開口を有する。
【００３２】
そして、円筒のセンサ装置Ｂの外周部に、複数枚の羽根２１、図２では４枚の羽根２１−１，２１−２，２１−３，２１−４がその面がセンサ収容部１の軸に垂直になるように取り付けられている。羽根２１のそれぞれは、例えば、センサ収容部１の挿入を許す貫通孔２１ａを有し、例えば、円板状の板部材の周方向の一部に切り欠け部２１ｄを有している。例えば２つの切り欠け部２１ｄを形成することで、２つの羽根部２１ｂを設けることができる。好ましくは、切り欠け部２１ｄは、円板の中心に設けられた貫通孔２１ａに対して対向する位置に２片の扇形の部分（羽根）２１−１を有している（図３（ａ）参照）。すなわち、羽根２１は、内径側に設けられた円板状の第１の羽根部と、第１の羽根部の外径側に設けられた円板状の第２の羽根部とを有している。
【００３３】
貫通孔２１ａの径はセンサ収容部１の外周の径に依存して変更することができる。そして、羽根２１は、センサ収容部１を軸として回転可能に取り付けられている。羽根２１−１，２１−２，２１−３，２１−４は、軸方向の隣同士が密着して取り付けられている。
【００３４】
尚、限定的なものではないが、用いた羽根２１の直径（長径）は１３ｃｍである。
また、センサ収容部１の長さは１５ｃｍ程度が好ましい。それよりも短いと、前後回転や横向きになってしまい、長期滞留の効果が減少する。
【００３５】
羽根２１の素材としてはシリコーンゴムを用いることができる。羽根２１の厚さは例えば５ｍｍ程度である。従って、羽根２１は変形可能である。狭い箇所を通過する際には、羽根２１が弾性変形により折れ曲がる。
【００３６】
隣同士の羽根２１の密着性を確保し、センサ収容部１の軸方向への移動を抑制するために、センサ収容部１の挿入方向側には、センサ装置Ｂを牛の腟内からの分娩に伴う排出時の羽根２１の曲がりを抑制することができる貫通孔２３ａを有するリング状の第１の固定部２３が設けられている。センサ収容部１の排出方向側にも、貫通孔２３ａを有するチューブ状の第２の固定部２５が設けられている。第１の固定部２３と第２の固定部２５の形状が異なる理由は、センサ収容部１の排出時に羽根２１が根元から曲がらないようにするためである。これにより、羽根２１の変形が外側のみで抑えられ、その結果、センサ収容部１の排出時のみ抵抗が増す。逆に、第２の固定部２５（後部固定）がチューブ状であるのは、挿入時に邪魔にならないように、かつ、羽根２１がずれてセンサ収容部１から脱落しないようにするためである。
尚、第１の固定部２３の直径は、例えば５．５ｃｍ程度で良い。
【００３７】
図３（ｂ）に示すように、羽根２１は、その複数枚が同じ形状で重なるようにすることもでき、図３（ｃ）に示すように、羽根２１は、その複数枚が異なる形状で重なるようにすることもできる。図３（ｃ）に示す構造では、羽根の回転方向の位置が９０度ずつずれている構造である。
【００３８】
図４は、センサ装置Ｂを妊娠牛Ｃの腟内に取り付けた様子を示す図である。図４に示すように、妊娠牛Ｃに本実施の形態によるセンサ装置Ｂを挿入する場合、腟口３１が狭くなっている部分３３（Ｌ１＜Ｌ２）があるため、作業者が手で押し込んだり道具を利用して押し込んだりすることで、羽根２１を同じ方向に重ねて挿入し（図３（ｂ）参照）、広い腟３５内においては、作業者が羽根を回転させて４枚羽根にする（図３（ｃ）参照）。尚、腟３５に続いて、狭い（Ｌ３＜Ｌ２）子宮頸管３７、胎子４３を収容する広い胎膜４１（Ｌ４＞Ｌ３）が存在する。
【００３９】
このように、本実施の形態では、センサ収容部１に切り欠け部を有する羽根２１を複数枚設け、回転可能とすることで、腟口３１から腟内３５に挿入する場合には作業者が２枚羽根の状態にして挿入しやすくし、腟内３５においては、作業者が羽根を展開させて４枚羽根にすることで抵抗を強くして抜けにくくし、センサ装置Ｂを腟３５内に長期貯留させることができるという利点がある。２枚羽根と４枚羽根との中間状態にすることもできる。
【００４０】
例えば、１週間以上の長期貯留が可能である。実績としては、１４日間の貯留が可能であった。
【００４１】
また、羽根の枚数を変更したり、羽根の直径を調整したり、中間状態にしたりすることで、センサ装置Ｂにおいて、腟挿入時、分娩に伴う排出時の抵抗の強さを調整することができる。例えば、初産牛では腟口が狭いため、センサ装置Ｂにおいて羽根の枚数を少なくしたり、羽根の直径を小さくしたりして抵抗を弱め、一方、経産牛では腟口が広いため、センサ装置Ｂにおいて羽根の枚数を多くしたり、羽根の直径を大きくしたりして抵抗を強めるようにすると良い。
【００４２】
尚、センサ装置Ｂの挿入は、膣鏡と長い鉗子を用いると良い。一方、膣内にセンサ装置Ｂが入った後の羽根２１の展開は、作業者が手作業で行うことができる。
【００４３】
本実施の形態によれば、センサユニットを腟内に長期貯留させることができる家畜の分娩監視用センサの腟内固定構造を提供することができる。また、家畜の個体差等に対応することが可能な家畜の分娩監視用センサの腟内固定構造を提供することができる。
【００４４】
（第２の実施の形態）
次に、第２の実施の形態について説明する。図５は、展開状態を保持できる構造を有する羽根２１の構成例を示す図である。図５（ａ）、図５（ｂ）は、隣接する羽根の回転を規制する回転規制機構を設けた例であり、図５（ｃ）は、２枚の羽根２１−１、２１−２を回転規制機構により保持した状態を示す平面図、図５（ｄ）はその断面図である。
【００４５】
図５（ａ）に示すように、隣接する一方の羽根２１−１において、例えば、貫通孔２１ａの周囲に凸状の溝部５３ａ、５３ａを設けたり、凸状の穴部５１ａ、５１ａを設け、一方、図５（ｂ）に示すように、隣接する一方の羽根２１−２において、例えば貫通孔２１ａの周囲に凸状の溝部５３ａ、５３ａに係合する凹状の溝部５３ｂ、５３ｂを設けたり凹状の穴部５１ｂ、５１ｂを設けたりし、作業者により一方を他方に係合させることで、図５（ｃ）、図５（ｄ）に示すように、羽根２１の回転を規制し、羽根の展開状態を保持することができる。
【００４６】
このように、羽根の展開状態を保持する機構を設けることで、センサ装置Ｂを家畜の腟内３５に長期貯留させることが容易になる。
【００４７】
上記の実施の形態において、添付図面に図示されている構成等については、これらに限定されるものではなく、本考案の効果を発揮する範囲内で適宜変更することが可能である。その他、本考案の目的の範囲を逸脱しない限りにおいて適宜変更して実施することが可能である。
【００４８】
また、本考案の各構成要素は、任意に取捨選択することができ、取捨選択した構成を具備する考案も本考案に含まれるものである。
【産業上の利用可能性】
【００４９】
本考案は、牛の分娩監視用センサの腟内固定構造に利用可能である。
【符号の説明】
【００５０】
Ａ…家畜の分娩監視システム、Ｂ…センサ装置、１…センサ収容部、３…センサ部、５…制御部、１１…監視センタサーバ、１５…携帯端末、２１−ｎ…羽根、２１ａ…貫通孔、２１ｂ…羽根部、２１ｄ…切り欠け部、２２−１…扇型の部分、３１…腟口、３５腟内。
【図１Ａ】
0003212455.tif 000003
【図１Ｂ】
0003212455.tif 000004
【図２】
0003212455.tif 000005
【図３】
0003212455.tif 000006
【図４】
0003212455.tif 000007
【図５】
0003212455.tif 000008
【手続補正書】
【提出日】平成29年7月4日(2017.7.4)
【手続補正１】
【補正対象書類名】実用新案登録請求の範囲
【補正対象項目名】全文
【補正方法】変更
【補正の内容】
【実用新案登録請求の範囲】
【請求項１】
家畜の腟内に挿入可能な分娩監視用のセンサの腟内固定構造であって、
前記センサを収容した筒状のセンサ収容部と、
前記筒状のセンサ収容部の貫通を許す貫通孔を有する複数枚の羽根であって、前記羽根の外周側から内周側に向けて切り欠く切り欠け部を有する複数枚の羽根と、
を有することを特徴とする分娩監視用センサの腟内固定構造。
【請求項２】
前記羽根は、内径側に設けられた円板状の第１の羽根部と、前記第１の羽根部の外径側に設けられた円板状の第２の羽根部とを備える羽根部を有し、
前記第２の羽根部は、前記第１の羽根部の外周に至る少なくとも１の切り欠け部を有することを特徴とする請求項１に記載の分娩監視用センサの腟内固定構造。
【請求項３】
前記羽根は、
前記貫通孔により前記センサ収容部の軸方向に複数挿入されていることを特徴とする請求項１又は２に記載の分娩監視用センサの腟内固定構造。
【請求項４】
複数枚の前記羽根は、
前記羽根の径方向に異なる位置に前記切り欠け部が設けられていることを特徴とする請求項２又は３に記載の分娩監視用センサの腟内固定構造。
【請求項５】
前記羽根は、
前記センサ収容部を回転軸として回転可能であることを特徴とする請求項４に記載の分娩監視用センサの腟内固定構造。
【請求項６】
前記センサ収容部の一端側に嵌められた少なくとも１のリングを有することを特徴とする請求項１から５までのいずれか１項に記載の分娩監視用センサの腟内固定構造。
【請求項７】
前記羽根は、
前記センサ収容部から取り外し可能であることを特徴とする請求項１から６までのいずれか１項に記載の分娩監視用センサの腟内固定構造。
【請求項８】
前記羽根は、シリコーンゴムにより形成されていることを特徴とする請求項１から７までのいずれか１項に記載の分娩監視用センサの腟内固定構造。
【請求項９】
前記羽根には、隣接する前記羽根の回転を規制する回転規制機構が設けられていることを特徴とする請求項１から８までのいずれか１項に記載の分娩監視用センサの腟内固定構造。
【請求項１０】
前記回転規制機構は、隣接する前記羽根にそれぞれ設けられた係合構造を有することを特徴とする請求項９に記載の分娩監視用センサの腟内固定構造。